(57)【要約】【課題】安定した書込み放電を発生させ、高い画像表示品質を実現する。【解決手段】プラズマディスプレイパネル１０と、書込み期間に走査パルスを発生して走査電極を走査する走査電極駆動回路４３と、プラズマディスプレイパネル１０の表示領域を複数の領域に分け、それらの領域のそれぞれにおいて、放電セル数に対する点灯させるべき放電セル数の割合を部分点灯率としてサブフィールド毎に検出する部分点灯率検出回路４７とを備え、補正値発生回路５３はプラズマディスプレイ装置１に備えられた発熱体の配置位置に応じた補正値を出力し、部分点灯率検出回路４７は、部分点灯率に補正値を加算して補正後点灯率を算出し、走査電極駆動回路４３は、部分点灯率検出回路４７において算出された補正後点灯率が高い領域から先に走査を行う。【選択図】図４
2010091837.tif 000002
【特許請求の範囲】
【請求項１】
初期化期間と書込み期間と維持期間とを有するサブフィールドを１フィールド内に複数設け、サブフィールド毎に輝度重みを設定するとともに前記維持期間に輝度重みに応じた数の維持パルスを発生して階調表示するサブフィールド法で駆動し、走査電極と維持電極とからなる表示電極対とデータ電極とを有する放電セルを複数備えたプラズマディスプレイパネルと、
前記書込み期間に走査パルスを発生し、前記走査電極に順次印加して前記走査電極を走査する走査電極駆動回路と、
前記プラズマディスプレイパネルの表示領域を複数の領域に分け、前記領域のそれぞれにおいて、放電セル数に対する点灯させるべき放電セル数の割合を部分点灯率としてサブフィールド毎に検出する部分点灯率検出回路とを備え、
前記部分点灯率検出回路は、
前記プラズマディスプレイパネルを有するプラズマディスプレイ装置に備えられた発熱体の配置位置にもとづき、前記部分点灯率に補正値を加算して補正後点灯率を算出し、
前記走査電極駆動回路は、
前記部分点灯率検出回路において算出された前記補正後点灯率が高い前記領域から先に前記走査を行うことを特徴とするプラズマディスプレイ装置。
【請求項２】
前記部分点灯率検出回路は、前記発熱体による前記プラズマディスプレイパネルの加熱量に応じた大きさの前記補正値を前記部分点灯率に加算することを特徴とする請求項１に記載のプラズマディスプレイ装置。
【請求項３】
前記書込み期間において前記データ電極に書込みパルスを印加するデータ電極駆動ＩＣを有するデータ電極駆動回路を備え、
前記部分点灯率検出回路は、
前記データ電極駆動ＩＣを前記発熱体として前記補正後点灯率を算出することを特徴とする請求項２に記載のプラズマディスプレイ装置。
【請求項４】
前記プラズマディスプレイ装置に備えられた各回路に電力を供給する電源回路を備え、
前記部分点灯率検出回路は、
前記電源回路を前記発熱体として前記補正後点灯率を算出することを特徴とする請求項２に記載のプラズマディスプレイ装置。
【請求項５】
走査電極と維持電極とからなる表示電極対を有する放電セルを複数備えたプラズマディスプレイパネルを、初期化期間と書込み期間と維持期間とを有するサブフィールドを１フィールド内に複数設け、サブフィールド毎に輝度重みを設けるとともに、前記書込み期間においては走査パルスを発生させ前記走査電極に順次印加して前記走査電極を走査し、前記維持期間においては輝度重みに応じた数の維持パルスを発生して階調表示するサブフィールド法で駆動するプラズマディスプレイパネルの駆動方法であって、
前記プラズマディスプレイパネルの表示領域を複数の領域に分け、前記領域のそれぞれにおいて、放電セル数に対する点灯させるべき放電セル数の割合を部分点灯率としてサブフィールド毎に検出するとともに、前記プラズマディスプレイパネルを有するプラズマディスプレイ装置に備えられた発熱体の配置位置にもとづき、前記部分点灯率に補正値を加算して補正後点灯率を算出し、
算出された前記補正後点灯率が高い前記領域から先に前記走査を行うことを特徴とするプラズマディスプレイパネルの駆動方法。
【発明の詳細な説明】
【技術分野】
【０００１】
本発明は、壁掛けテレビや大型モニターに用いられるプラズマディスプレイ装置およびプラズマディスプレイパネルの駆動方法に関する。
【背景技術】
【０００２】
プラズマディスプレイパネル（以下、「パネル」と略記する）として代表的な交流面放電型パネルは、対向配置された前面板と背面板との間に多数の放電セルが形成されている。前面板は、１対の走査電極と維持電極とからなる表示電極対が前面ガラス基板上に互いに平行に複数対形成され、それら表示電極対を覆うように誘電体層および保護層が形成されている。背面板は、背面ガラス基板上に複数の平行なデータ電極と、それらを覆うように誘電体層と、さらにその上にデータ電極と平行に複数の隔壁とがそれぞれ形成され、誘電体層の表面と隔壁の側面とに蛍光体層が形成されている。そして、表示電極対とデータ電極とが立体交差するように前面板と背面板とが対向配置されて密封され、内部の放電空間には、例えば分圧比で５％のキセノンを含む放電ガスが封入されている。ここで表示電極対とデータ電極とが対向する部分に放電セルが形成される。このような構成のパネルにおいて、各放電セル内でガス放電により紫外線を発生させ、この紫外線で赤色（Ｒ）、緑色（Ｇ）および青色（Ｂ）の各色の蛍光体を励起発光させてカラー表示を行っている。
【０００３】
パネルを駆動する方法としては一般にサブフィールド法が用いられている。サブフィールド法では、１フィールドを複数のサブフィールドに分割し、それぞれのサブフィールドで各放電セルを発光または非発光させることにより階調表示を行う。各サブフィールドは、初期化期間、書込み期間および維持期間を有する。
【０００４】
初期化期間では、各走査電極に初期化波形を印加し、各放電セルで初期化放電を発生させる。それにより、続く書込み動作のために必要な壁電荷を各放電セルに形成するとともに、書込み放電を安定して発生させるためのプライミング粒子（書込み放電を発生させるための励起粒子）を発生させる。
【０００５】
書込み期間では、走査電極に順次走査パルスを印加（以下、この動作を「走査」とも記す）するとともに、データ電極には表示すべき画像信号に対応した書込みパルスを選択的に印加する（以下、これらの動作を総称して「書込み」とも記す）。それにより、走査電極とデータ電極との間で選択的に書込み放電を発生させ、選択的に壁電荷を形成する。
【０００６】
維持期間では、表示させるべき輝度に応じた所定の回数の維持パルスを走査電極と維持電極とからなる表示電極対に交互に印加する。それにより、書込み放電による壁電荷形成が行われた放電セルで選択的に維持放電を発生させ、その放電セルを発光させる。このようにして、パネルの表示領域に画像を表示する。
【０００７】
このサブフィールド法では、例えば、複数のサブフィールドのうち、１つのサブフィールドの初期化期間においては全ての放電セルを放電させる全セル初期化動作を行い、他のサブフィールドの初期化期間においては維持放電を行った放電セルに対して選択的に初期化放電を行う選択初期化動作を行うことで、階調表示に関係しない発光を極力減らしコントラスト比を向上させることが可能である。
【０００８】
一方、近年では、パネルの大画面化、高輝度化にともない、パネルにおける消費電力が増大する傾向にある。また、大画面化、高精細化されたパネルではパネル駆動時の負荷が増大するため放電が不安定になりやすい。放電を安定に発生させるためには、電極に印加する駆動電圧を上げればよいが、これは、消費電力をさらに増大させる一因となる。また、駆動電圧を高くしたり、消費電力が増大したりして駆動回路を構成する部品の定格値を超えると、回路が誤動作するおそれも生じる。
【０００９】
例えば、データ電極駆動回路は、書込みパルス電圧をデータ電極に印加して放電セルで書込み放電を発生させる書込み動作を行うが、書込み時の消費電力がデータ電極駆動回路を構成するＩＣの定格値を超えるとそのＩＣが誤動作し、書込み放電を発生させるべき放電セルで書込み放電が発生しない、あるいは書込み放電を発生させるべきでない放電セルで書込み放電が発生するといった書込み不良が発生するおそれがある。そこで、書込み時の消費電力を抑えるために、表示すべき画像信号にもとづきデータ電極駆動回路の消費電力を予測して、その予測値が設定値以上になると階調を制限する方法が開示されている（例えば、特許文献１参照）。
【特許文献１】特開２０００−６６６３８号公報
【発明の開示】
【発明が解決しようとする課題】
【００１０】
書込み期間では、上述したように、走査電極への走査パルス電圧の印加およびデータ電極への書込みパルス電圧の印加によって書込み放電を発生させる。そのため、特許文献１に開示されたデータ電極駆動回路の動作を安定化させる技術だけでは、安定した書込みを行うことは難しく、走査電極を駆動する回路（走査電極駆動回路）における動作の安定化を図る技術も重要となる。
【００１１】
また、書込み期間における走査電極への走査パルス電圧の印加は各走査電極に対して順次行われるため、特に高精細化されたパネルにおいては、走査電極数の増加によって書込み期間に費やす時間が長くなってしまう。そのため、書込み期間の最後の方に書込みがなされる放電セルでは書込み期間の最初の方に書込みがなされる放電セルに比べて、壁電荷の消失が増え、書込み放電が不安定になりやすいといった問題もあった。
【００１２】
また、壁電荷の消失は温度にも依存しており、パネル以上に温度が高くなる部材（以下、「発熱体」と呼称する）により加熱される領域では、そうでない領域よりも壁電荷の消失が大きくなり、書込み放電が不安定になりやすいといった問題もあった。
【００１３】
本発明は、これらの課題に鑑みなされたものであり、大画面化、高精細化されたパネルにおいても、安定した書込み放電を発生させるために必要な走査パルス電圧（振幅）が増大することを防止して安定した書込み放電を発生させ、高い画像表示品質を実現することが可能なプラズマディスプレイ装置およびパネルの駆動方法を提供することを目的とする。
【課題を解決するための手段】
【００１４】
本発明のプラズマディスプレイ装置は、初期化期間と書込み期間と維持期間とを有するサブフィールドを１フィールド内に複数設け、サブフィールド毎に輝度重みを設定するとともに維持期間に輝度重みに応じた数の維持パルスを発生して階調表示するサブフィールド法で駆動し、走査電極と維持電極とからなる表示電極対とデータ電極とを有する放電セルを複数備えたパネルと、書込み期間に走査パルスを発生し、走査電極に順次印加して走査電極を走査する走査電極駆動回路と、パネルの表示領域を複数の領域に分け、それらの領域のそれぞれにおいて、放電セル数に対する点灯させるべき放電セル数の割合を部分点灯率としてサブフィールド毎に検出する部分点灯率検出回路とを備え、部分点灯率検出回路は、上述のパネルを有するプラズマディスプレイ装置に備えられた発熱体の配置位置にもとづき、部分点灯率に補正値を加算して補正後点灯率を算出し、走査電極駆動回路は、部分点灯率検出回路において算出された補正後点灯率が高い領域から先に走査を行うことを特徴とする。
【００１５】
これにより、パネルの表示領域を複数の領域に分け、それぞれの領域における部分点灯率を検出するとともに、検出した部分点灯率に、発熱体の配置位置にもとづき補正値を加算して補正後点灯率を算出し、補正後点灯率が高い領域から先に走査を行うことができるので、部分点灯率が高い領域および発熱体により加熱される領域において、安定した書込み放電を発生させるために必要な走査パルス電圧（振幅）が増大することを防止して、安定した書込み放電を発生させることが可能となる。
【００１６】
また、このプラズマディスプレイ装置において、部分点灯率検出回路は、発熱体によるパネルの加熱量に応じた大きさの補正値を部分点灯率に加算することを特徴とする。これにより、発熱体の配置位置および発熱体による加熱量に応じた補正値を加算して補正後点灯率を算出することができるので、発熱体による加熱量が大きい領域において、安定した書込み放電を発生させるために必要な走査パルス電圧（振幅）が増大することを防止して、安定した書込み放電を発生させることが可能となる。
【００１７】
また、このプラズマディスプレイ装置は、書込み期間においてデータ電極に書込みパルスを印加するデータ電極駆動ＩＣを有するデータ電極駆動回路を備え、部分点灯率検出回路は、データ電極駆動ＩＣを前記発熱体として補正後点灯率を算出する構成であってもよい。これにより、比較的発熱量の大きいデータ電極駆動ＩＣが配置された領域においても、安定した書込み放電を発生させるために必要な走査パルス電圧（振幅）が増大することを防止して、安定した書込み放電を発生させることが可能となる。
【００１８】
また、このプラズマディスプレイ装置は、プラズマディスプレイ装置に備えられた各回路に電力を供給する電源回路を備え、部分点灯率検出回路は、電源回路を発熱体として補正後点灯率を算出する構成であってもよい。これにより、比較的発熱量の大きい電源回路が配置された領域においても、安定した書込み放電を発生させるために必要な走査パルス電圧（振幅）が増大することを防止して、安定した書込み放電を発生させることが可能となる。
【００１９】
また、本発明のパネルの駆動方法は、走査電極と維持電極とからなる表示電極対を有する放電セルを複数備えたパネルを、初期化期間と書込み期間と維持期間とを有するサブフィールドを１フィールド内に複数設け、サブフィールド毎に輝度重みを設けるとともに、書込み期間においては走査パルスを発生させ走査電極に順次印加して走査電極を走査し、維持期間においては輝度重みに応じた数の維持パルスを発生して階調表示するサブフィールド法で駆動するパネルの駆動方法であって、パネルの表示領域を複数の領域に分け、それらの領域のそれぞれにおいて、放電セル数に対する点灯させるべき放電セル数の割合を部分点灯率としてサブフィールド毎に検出するとともに、上述のパネルを有するプラズマディスプレイ装置に備えられた発熱体の配置位置にもとづき、部分点灯率に補正値を加算して補正後点灯率を算出し、算出された補正後点灯率が高い領域から先に走査を行うことを特徴とする。
【００２０】
これにより、パネルの表示領域を複数の領域に分け、それぞれの領域における部分点灯率を検出するとともに、検出した部分点灯率に、発熱体の配置位置にもとづき補正値を加算して補正後点灯率を算出し、補正後点灯率が高い領域から先に走査を行うことができるので、部分点灯率が高い領域および発熱体により加熱される領域において、安定した書込み放電を発生させるために必要な走査パルス電圧（振幅）が増大することを防止して、安定した書込み放電を発生させることが可能となる。
【発明の効果】
【００２１】
本発明によれば、大画面化、高精細化されたパネルにおいても、安定した書込み放電を発生させるために必要な走査パルス電圧（振幅）が増大することを防止して安定した書込み放電を発生させ、高い画像表示品質を実現することができるプラズマディスプレイ装置およびパネルの駆動方法を提供することが可能となる。
【発明を実施するための最良の形態】
【００２２】
以下、本発明の実施の形態におけるプラズマディスプレイ装置について、図面を用いて説明する。
【００２３】
（実施の形態１）
図１は、本発明の実施の形態１におけるパネル１０の構造を示す分解斜視図である。ガラス製の前面板２１上には、走査電極２２と維持電極２３とからなる表示電極対２４が複数形成されている。そして走査電極２２と維持電極２３とを覆うように誘電体層２５が形成され、その誘電体層２５上に保護層２６が形成されている。
【００２４】
また、保護層２６は、放電セルにおける放電開始電圧を下げるために、パネルの材料として使用実績があり、ネオン（Ｎｅ）およびキセノン（Ｘｅ）ガスを封入した場合に２次電子放出係数が大きく耐久性に優れたＭｇＯを主成分とする材料から形成されている。
【００２５】
背面板３１上にはデータ電極３２が複数形成され、データ電極３２を覆うように誘電体層３３が形成され、さらにその上に井桁状の隔壁３４が形成されている。そして、隔壁３４の側面および誘電体層３３上には赤色（Ｒ）、緑色（Ｇ）および青色（Ｂ）の各色に発光する蛍光体層３５が設けられている。
【００２６】
これら前面板２１と背面板３１とは、微小な放電空間をはさんで表示電極対２４とデータ電極３２とが交差するように対向配置され、その外周部をガラスフリット等の封着材によって封着されている。そして、内部の放電空間には、ネオンとキセノンの混合ガスが放電ガスとして封入されている。なお、本実施の形態では、発光効率を向上させるためにキセノン分圧を約１０％とした放電ガスを用いている。放電空間は隔壁３４によって複数の区画に仕切られており、表示電極対２４とデータ電極３２とが交差する部分に放電セルが形成されている。そしてこれらの放電セルが放電、発光することにより画像が表示される。
【００２７】
なお、パネル１０の構造は上述したものに限られるわけではなく、例えばストライプ状の隔壁を備えたものであってもよい。また、放電ガスの混合比率も上述した数値に限られるわけではなく、その他の混合比率であってもよい。
【００２８】
図２は、本発明の実施の形態１におけるパネル１０の電極配列図である。パネル１０には、行方向に長いｎ本の走査電極ＳＣ１〜走査電極ＳＣｎ（図１の走査電極２２）およびｎ本の維持電極ＳＵ１〜維持電極ＳＵｎ（図１の維持電極２３）が配列され、列方向に長いｍ本のデータ電極Ｄ１〜データ電極Ｄｍ（図１のデータ電極３２）が配列されている。そして、１対の走査電極ＳＣｉ（ｉ＝１〜ｎ）および維持電極ＳＵｉと１つのデータ電極Ｄｊ（ｊ＝１〜ｍ）とが交差した部分に放電セルが形成され、放電セルは放電空間内にｍ×ｎ個形成されている。そして、ｍ×ｎ個の放電セルが形成された領域がパネル１０の表示領域となる。
【００２９】
次に、パネル１０を駆動するための駆動電圧波形とその動作の概要について説明する。なお、本実施の形態におけるプラズマディスプレイ装置は、サブフィールド法、すなわち１フィールドを時間軸上で複数のサブフィールドに分割し、各サブフィールドに輝度重みをそれぞれ設定し、サブフィールド毎に各放電セルの発光・非発光を制御することによって階調表示を行うものとする。
【００３０】
このサブフィールド法では、例えば、１フィールドを８つのサブフィールド（第１ＳＦ、第２ＳＦ、・・・、第８ＳＦ）で構成し、各サブフィールドはそれぞれ１、２、４、８、１６、３２、６４、１２８の輝度重みを有する構成とすることができる。また、複数のサブフィールドのうち、１つのサブフィールドの初期化期間においては全ての放電セルに初期化放電を発生させる全セル初期化動作を行い（以下、全セル初期化動作を行うサブフィールドを「全セル初期化サブフィールド」と呼称する）、他のサブフィールドの初期化期間においては維持放電を行った放電セルに対して選択的に初期化放電を発生させる選択初期化動作を行う（以下、選択初期化動作を行うサブフィールドを「選択初期化サブフィールド」と呼称する）ことで、階調表示に関係しない発光を極力減らしコントラスト比を向上させることが可能である。
【００３１】
そして、本実施の形態では、第１ＳＦの初期化期間では全セル初期化動作を行い、第２ＳＦ〜第８ＳＦの初期化期間では選択初期化動作を行うものとする。これにより、画像の表示に関係のない発光は第１ＳＦにおける全セル初期化動作の放電にともなう発光のみとなり、維持放電を発生させない黒表示領域の輝度である黒輝度は全セル初期化動作における微弱発光だけとなって、コントラストの高い画像表示が可能となる。また、各サブフィールドの維持期間においては、それぞれのサブフィールドの輝度重みに所定の比例定数を乗じた数の維持パルスを表示電極対２４のそれぞれに印加する。このときの比例定数が輝度倍率である。
【００３２】
しかし、本実施の形態は、サブフィールド数や各サブフィールドの輝度重みが上記の値に限定されるものではなく、また、画像信号等にもとづいてサブフィールド構成を切換える構成であってもよい。
【００３３】
図３は、本発明の実施の形態１におけるパネル１０の各電極に印加する駆動電圧波形図である。図３には、書込み期間において最初に走査を行う走査電極ＳＣ１、書込み期間において最後に走査を行う走査電極ＳＣｎ、維持電極ＳＵ１〜維持電極ＳＵｎ、およびデータ電極Ｄ１〜データ電極Ｄｍの駆動波形を示す。
【００３４】
また、図３には、２つのサブフィールドの駆動電圧波形、すなわち全セル初期化サブフィールドである第１サブフィールド（第１ＳＦ）と、選択初期化サブフィールドである第２サブフィールド（第２ＳＦ）とを示す。なお、他のサブフィールドにおける駆動電圧波形は、維持期間における維持パルスの発生数が異なる以外は第２ＳＦの駆動電圧波形とほぼ同様である。また、以下における走査電極ＳＣｉ、維持電極ＳＵｉ、データ電極Ｄｋは、各電極の中から画像データ（サブフィールド毎の発光・非発光を示すデータ）にもとづき選択された電極を表す。
【００３５】
まず、全セル初期化サブフィールドである第１ＳＦについて説明する。
【００３６】
第１ＳＦの初期化期間前半部では、データ電極Ｄ１〜データ電極Ｄｍ、維持電極ＳＵ１〜維持電極ＳＵｎにそれぞれ０（Ｖ）を印加し、走査電極ＳＣ１〜走査電極ＳＣｎには、維持電極ＳＵ１〜維持電極ＳＵｎに対して放電開始電圧以下の電圧Ｖｉ１から、放電開始電圧を超える電圧Ｖｉ２に向かって緩やかに（例えば、約１．３Ｖ／μｓｅｃの勾配で）上昇する傾斜電圧（以下、「上りランプ電圧」と呼称する）Ｌ１を印加する。
【００３７】
この上りランプ電圧Ｌ１が上昇する間に、走査電極ＳＣ１〜走査電極ＳＣｎと維持電極ＳＵ１〜維持電極ＳＵｎとの間、および走査電極ＳＣ１〜走査電極ＳＣｎとデータ電極Ｄ１〜データ電極Ｄｍとの間でそれぞれ微弱な初期化放電が持続して起こる。そして、走査電極ＳＣ１〜走査電極ＳＣｎ上部に負の壁電圧が蓄積されるとともに、データ電極Ｄ１〜データ電極Ｄｍ上部および維持電極ＳＵ１〜維持電極ＳＵｎ上部には正の壁電圧が蓄積される。この電極上部の壁電圧とは、電極を覆う誘電体層上、保護層上、蛍光体層上等に蓄積された壁電荷により生じる電圧を表す。
【００３８】
初期化期間後半部では、維持電極ＳＵ１〜維持電極ＳＵｎには正の電圧Ｖｅ１を印加し、データ電極Ｄ１〜データ電極Ｄｍには０（Ｖ）を印加し、走査電極ＳＣ１〜走査電極ＳＣｎには、維持電極ＳＵ１〜維持電極ＳＵｎに対して放電開始電圧以下となる電圧Ｖｉ３から放電開始電圧を超える電圧Ｖｉ４に向かって緩やかに下降する傾斜電圧（以下、「下りランプ電圧」と呼称する）Ｌ２を印加する。
【００３９】
この間に、走査電極ＳＣ１〜走査電極ＳＣｎと維持電極ＳＵ１〜維持電極ＳＵｎとの間、および走査電極ＳＣ１〜走査電極ＳＣｎとデータ電極Ｄ１〜データ電極Ｄｍとの間でそれぞれ微弱な初期化放電が起こる。そして、走査電極ＳＣ１〜走査電極ＳＣｎ上部の負の壁電圧および維持電極ＳＵ１〜維持電極ＳＵｎ上部の正の壁電圧が弱められ、データ電極Ｄ１〜データ電極Ｄｍ上部の正の壁電圧は書込み動作に適した値に調整される。以上により、全ての放電セルに対して初期化放電を行う全セル初期化動作が終了する。
【００４０】
なお、図３の第２ＳＦの初期化期間に示したように、初期化期間の前半部を省略した駆動電圧波形を各電極に印加してもよい。すなわち、維持電極ＳＵ１〜維持電極ＳＵｎに電圧Ｖｅ１を、データ電極Ｄ１〜データ電極Ｄｍに０（Ｖ）をそれぞれ印加し、走査電極ＳＣ１〜走査電極ＳＣｎに放電開始電圧以下となる電圧（例えば、接地電位）から電圧Ｖｉ４に向かって緩やかに下降する下りランプ電圧Ｌ４を印加する。これにより直前のサブフィールド（図３では、第１ＳＦ）の維持期間で維持放電を起こした放電セルでは微弱な初期化放電が発生し、走査電極ＳＣｉ上部および維持電極ＳＵｉ上部の壁電圧が弱められ、データ電極Ｄｋ（ｋ＝１〜ｍ）上部の壁電圧も、過剰な部分が放電され、書込み動作に適した値に調整される。一方、直前のサブフィールドで維持放電を起こさなかった放電セルについては放電することはなく、直前のサブフィールドの初期化期間終了時における壁電荷がそのまま保たれる。このように前半部を省略した初期化動作は、直前のサブフィールドの維持期間で維持動作を行った放電セルに対して初期化放電を行う選択初期化動作となる。
【００４１】
続く書込み期間では、走査電極ＳＣ１〜走査電極ＳＣｎに対しては順次走査パルス電圧Ｖａを印加し、データ電極Ｄ１〜データ電極Ｄｍに対しては発光させるべき放電セルに対応するデータ電極Ｄｋ（ｋ＝１〜ｍ）に正の書込みパルス電圧Ｖｄを印加して、各放電セルに選択的に書込み放電を発生させる。このとき、本実施の形態では、後述する部分点灯率検出回路における検出結果にもとづき走査パルス電圧Ｖａを印加する走査電極２２の順番、または走査電極２２を駆動するＩＣの書込み動作の順序を変更している。この詳細については後述するが、ここでは、走査電極ＳＣ１から順に走査パルス電圧Ｖａを印加するものとして説明を行う。
【００４２】
書込み期間では、まず維持電極ＳＵ１〜維持電極ＳＵｎに電圧Ｖｅ２を、走査電極ＳＣ１〜走査電極ＳＣｎに電圧Ｖｃを印加する。
【００４３】
そして、１行目の走査電極ＳＣ１に負の走査パルス電圧Ｖａを印加するとともに、データ電極Ｄ１〜データ電極Ｄｍのうち１行目に発光させるべき放電セルのデータ電極Ｄｋ（ｋ＝１〜ｍ）に正の書込みパルス電圧Ｖｄを印加する。このときデータ電極Ｄｋ上と走査電極ＳＣ１上との交差部の電圧差は、外部印加電圧の差（電圧Ｖｄ−電圧Ｖａ）にデータ電極Ｄｋ上の壁電圧と走査電極ＳＣ１上の壁電圧との差が加算されたものとなり放電開始電圧を超える。これにより、データ電極Ｄｋと走査電極ＳＣ１との間に放電が発生する。また、維持電極ＳＵ１〜維持電極ＳＵｎに電圧Ｖｅ２を印加しているため、維持電極ＳＵ１上と走査電極ＳＣ１上との電圧差は、外部印加電圧の差である（電圧Ｖｅ２−電圧Ｖａ）に維持電極ＳＵ１上の壁電圧と走査電極ＳＣ１上の壁電圧との差が加算されたものとなる。このとき、電圧Ｖｅ２を、放電開始電圧をやや下回る程度の電圧値に設定することで、維持電極ＳＵ１と走査電極ＳＣ１との間を、放電には至らないが放電が発生しやすい状態とすることができる。これにより、データ電極Ｄｋと走査電極ＳＣ１との間に発生する放電を引き金にして、データ電極Ｄｋと交差する領域にある維持電極ＳＵ１と走査電極ＳＣ１との間に放電を発生させることができる。こうして、発光させるべき放電セルに書込み放電が起こり、走査電極ＳＣ１上に正の壁電圧が蓄積され、維持電極ＳＵ１上に負の壁電圧が蓄積され、データ電極Ｄｋ上にも負の壁電圧が蓄積される。
【００４４】
このようにして、１行目に発光させるべき放電セルで書込み放電を起こして各電極上に壁電圧を蓄積する書込み動作が行われる。一方、書込みパルス電圧Ｖｄを印加しなかったデータ電極Ｄ１〜データ電極Ｄｍと走査電極ＳＣ１との交差部の電圧は放電開始電圧を超えないので、書込み放電は発生しない。以上の書込み動作をｎ行目の放電セルに至るまで行い、書込み期間が終了する。
【００４５】
続く維持期間では、輝度重みに所定の輝度倍率を乗じた数の維持パルスを表示電極対２４に交互に印加して、書込み放電を発生した放電セルで維持放電を発生させて発光させる。
【００４６】
この維持期間では、まず走査電極ＳＣ１〜走査電極ＳＣｎに正の維持パルス電圧Ｖｓを印加するとともに維持電極ＳＵ１〜維持電極ＳＵｎにベース電位となる接地電位、すなわち０（Ｖ）を印加する。すると書込み放電を起こした放電セルでは、走査電極ＳＣｉ上と維持電極ＳＵｉ上との電圧差が維持パルス電圧Ｖｓに走査電極ＳＣｉ上の壁電圧と維持電極ＳＵｉ上の壁電圧との差が加算されたものとなり放電開始電圧を超える。
【００４７】
そして、走査電極ＳＣｉと維持電極ＳＵｉとの間に維持放電が起こり、このとき発生した紫外線により蛍光体層３５が発光する。そして走査電極ＳＣｉ上に負の壁電圧が蓄積され、維持電極ＳＵｉ上に正の壁電圧が蓄積される。さらにデータ電極Ｄｋ上にも正の壁電圧が蓄積される。書込み期間において書込み放電が起きなかった放電セルでは維持放電は発生せず、初期化期間の終了時における壁電圧が保たれる。
【００４８】
続いて、走査電極ＳＣ１〜走査電極ＳＣｎにはベース電位となる０（Ｖ）を、維持電極ＳＵ１〜維持電極ＳＵｎには維持パルス電圧Ｖｓをそれぞれ印加する。すると、維持放電を起こした放電セルでは、維持電極ＳＵｉ上と走査電極ＳＣｉ上との電圧差が放電開始電圧を超えるので再び維持電極ＳＵｉと走査電極ＳＣｉとの間に維持放電が起こり、維持電極ＳＵｉ上に負の壁電圧が蓄積され走査電極ＳＣｉ上に正の壁電圧が蓄積される。以降同様に、走査電極ＳＣ１〜走査電極ＳＣｎと維持電極ＳＵ１〜維持電極ＳＵｎとに交互に輝度重みに輝度倍率を乗じた数の維持パルスを印加し、表示電極対２４の電極間に電位差を与えることにより、書込み期間において書込み放電を起こした放電セルで維持放電が継続して行われる。
【００４９】
そして、維持期間における維持パルスの発生後に、走査電極ＳＣ１〜走査電極ＳＣｎに、０（Ｖ）から電圧Ｖｅｒｓに向かって緩やかに上昇する傾斜電圧（以下、「消去ランプ電圧」と呼称する）Ｌ３を印加する。これにより、維持放電を発生させた放電セルにおいて、微弱な放電を持続して発生させ、データ電極Ｄｋ上の正の壁電圧を残したまま、走査電極ＳＣｉおよび維持電極ＳＵｉ上の壁電圧の一部または全部を消去する。
【００５０】
具体的には、維持電極ＳＵ１〜維持電極ＳＵｎを０（Ｖ）に戻した後、ベース電位となる０（Ｖ）から放電開始電圧を超える電圧Ｖｅｒｓに向かって上昇する消去ランプ電圧Ｌ３を、上りランプ電圧Ｌ１よりも急峻な勾配（例えば、約１０Ｖ／μｓｅｃ）で発生させ、走査電極ＳＣ１〜走査電極ＳＣｎに印加する。すると、維持放電を起こした放電セルの維持電極ＳＵｉと走査電極ＳＣｉとの間で微弱な放電が発生する。そして、この微弱な放電は、走査電極ＳＣ１〜走査電極ＳＣｎへの印加電圧が上昇する期間、持続して発生する。そして、上昇する電圧があらかじめ定めた電圧Ｖｅｒｓに到達したら、走査電極ＳＣ１〜走査電極ＳＣｎに印加する電圧をベース電位となる０（Ｖ）まで下降させる。
【００５１】
このとき、この微弱な放電で発生した荷電粒子は、維持電極ＳＵｉと走査電極ＳＣｉとの間の電圧差を緩和するように、維持電極ＳＵｉ上および走査電極ＳＣｉ上に壁電荷となって蓄積されていく。これにより、データ電極Ｄｋ上の正の壁電荷を残したまま、走査電極ＳＣ１〜走査電極ＳＣｎ上と維持電極ＳＵ１〜維持電極ＳＵｎ上との間の壁電圧は、走査電極ＳＣｉに印加した電圧と放電開始電圧の差、すなわち（電圧Ｖｅｒｓ−放電開始電圧）の程度まで弱められる。以下、この消去ランプ電圧Ｌ３によって発生させる維持期間の最後の放電を「消去放電」と呼称する。
【００５２】
続く第２ＳＦ以降のサブフィールドの各動作は、維持期間の維持パルスの数を除いて上述の動作とほぼ同様であるため説明を省略する。以上が、本実施の形態におけるパネル１０の各電極に印加する駆動電圧波形の概要である。
【００５３】
次に、本実施の形態におけるプラズマディスプレイ装置１の構成について説明する。図４は、本発明の実施の形態１におけるプラズマディスプレイ装置１の回路ブロック図である。プラズマディスプレイ装置１は、パネル１０、画像信号処理回路４１、データ電極駆動回路４２、走査電極駆動回路４３、維持電極駆動回路４４、タイミング発生回路４５、部分点灯率検出回路４７、点灯率比較回路４８、補正値発生回路５３および各回路ブロックに必要な電源を供給する電源回路４６を備えている。
【００５４】
電源回路４６は、家庭用電源取込み口７０（例えば、コンセント用プラグ）を備えている。また、電源回路４６は、スイッチング動作を行う回路素子を有し（図示せず）、その回路素子がオンすることでプラズマディスプレイ装置１に主電源が投入され、一般に用いられている家庭用電源（商用電源等）の取出し口（例えば、コンセント）から、家庭用電源取込み口７０を介して電源回路４６内に電力を取り込む。そして、電源回路４６は、家庭用電源の交流電圧を直流電圧に変換し、内部に備えた各電源電圧発生回路からパネル１０の駆動に必要な電源電圧を発生する。
【００５５】
画像信号処理回路４１は、入力された画像信号ｓｉｇをサブフィールド毎の発光・非発光を示す画像データに変換する。
【００５６】
部分点灯率検出回路４７は、パネル１０の表示領域を複数の領域に分け、サブフィールド毎の画像データにもとづき、領域毎かつサブフィールド毎に、各領域の放電セル数に対する点灯させるべき放電セル数の割合を検出する（以下、各領域毎に検出する点灯させるべき放電セル数の割合を「部分点灯率」と呼称する）。なお、部分点灯率検出回路４７は、例えば、１対の表示電極対２４における点灯率を部分点灯率として検出することもできるが、ここでは、走査電極２２を駆動するＩＣ（以下、「走査ＩＣ」と呼称する）の１つに接続された複数の走査電極２２で構成される領域を１つの領域として部分点灯率を検出するものとする。
【００５７】
補正値発生回路５３は、プラズマディスプレイ装置１に備えられた発熱体の配置位置にもとづき、補正値を発生する。具体的には、比較的発熱量の大きい電源回路やパネル１０を駆動する駆動回路が有する比較的発熱量の大きいＩＣ等を発熱体と見なし、部分点灯率検出回路４７において、上述した領域のうち、これらの発熱体の配置位置に対応する領域に補正値が加算されるように、補正値を発生する。このとき、補正値の大きさは、発熱体によるパネル１０の加熱量に応じた大きさとし、加熱量が大きければ比較的大きい補正値を、加熱量が小さければ比較的小さい補正値を発生させるものとする。
【００５８】
発生した補正値は、部分点灯率検出回路４７において、発熱体の配置位置に対応する領域の部分点灯率に加算する。そして、部分点灯率検出回路４７は、補正値を加算した部分点灯率を補正後点灯率として後段の点灯率比較回路４８に送信する。
【００５９】
なお、本実施の形態では、例えば、プラズマディスプレイ装置１の動作中に、パネル１０の温度以上に温度が上昇しパネル１０を加熱する部材を発熱体として扱うものとする。この発熱体としては、例えば、電源回路４６やデータ電極３２を駆動するデータ電極駆動ＩＣ等を挙げることができる。
【００６０】
なお、走査電極２２を駆動する走査ＩＣおよび維持電極２３を駆動する維持電極駆動ＩＣも発熱体として挙げることができるが、これらのＩＣは、その配置位置が全領域にわたることが多く、その場合、これらのＩＣを発熱体として扱うと全領域に等しく補正値を加算することになる。そして、この場合には、補正値を加算した後の補正後点灯率の大小関係が、補正値を加算する前の部分点灯率の大小関係と変わらない可能性が高い。このような場合には、これらのＩＣを発熱体として扱わなくともかまわない。以下、本実施の形態では、これらのＩＣは発熱体として扱わず、電源回路４６およびデータ電極駆動ＩＣを発熱体として扱うものとし、そのときの一動作例を説明する。
【００６１】
点灯率比較回路４８は、部分点灯率検出回路４７で算出された補正後点灯率の値を互いに比較し、値の大きい方から順に、どの領域が何番目の大きさになるのかを判別する。そして、その結果を表す信号をサブフィールド毎にタイミング発生回路４５に出力する。
【００６２】
タイミング発生回路４５は、水平同期信号Ｈ、垂直同期信号Ｖおよび点灯率比較回路４８からの出力にもとづき各回路ブロックの動作を制御する各種のタイミング信号を発生し、それぞれの回路ブロックへ供給する。
【００６３】
走査電極駆動回路４３は、初期化期間において走査電極ＳＣ１〜走査電極ＳＣｎに印加する初期化波形電圧を発生するための初期化波形発生回路（図示せず）、維持期間において走査電極ＳＣ１〜走査電極ＳＣｎに印加する維持パルスを発生するための維持パルス発生回路（図示せず）、複数の走査ＩＣを備え書込み期間において走査電極ＳＣ１〜走査電極ＳＣｎに印加する走査パルス電圧Ｖａを発生するための走査パルス発生回路５０を有する。そして、タイミング信号にもとづいて各走査電極ＳＣ１〜走査電極ＳＣｎをそれぞれ駆動する。このとき、本実施の形態では、補正後点灯率が高い領域から先に書込みが行われるように走査ＩＣを順次切換えて書込み動作させている。これにより、安定した書込み放電を実現している。この詳細については後述する。
【００６４】
データ電極駆動回路４２は、書込み期間において書込みパルスを発生させる書込みパルス発生回路５４と、書込みパルス発生回路５４で発生した書込みパルスをデータ電極Ｄ１〜データ電極Ｄｍのそれぞれに印加する複数のデータ電極駆動ＩＣ４９とを備え、タイミング発生回路４５から供給されるタイミング信号にもとづいて各データ電極Ｄ１〜データ電極Ｄｍを駆動する。なお、本実施の形態では、上述したように、書込みを行う順番がサブフィールド毎に変わる可能性があるため、タイミング発生回路４５は、データ電極駆動回路４２において走査ＩＣの書込み動作の順序にあわせて書込みパルス電圧Ｖｄが発生するようにタイミング信号を発生させている。これにより、表示画像に応じた正しい書込み動作を行うことができる。
【００６５】
維持電極駆動回路４４は、維持パルス発生回路および電圧Ｖｅ１、電圧Ｖｅ２を発生するための回路（図示せず）を備え、タイミング信号にもとづいて維持電極ＳＵ１〜維持電極ＳＵｎを駆動する。
【００６６】
次に、走査電極駆動回路４３の詳細とその動作について説明する。
【００６７】
図５は、本発明の実施の形態１におけるプラズマディスプレイ装置１の走査電極駆動回路４３の構成を示す回路図である。走査電極駆動回路４３は、走査パルス発生回路５０と、初期化波形発生回路５１と、走査電極２２側の維持パルス発生回路５２とを備え、走査パルス発生回路５０のそれぞれの出力はパネル１０の走査電極ＳＣ１〜走査電極ＳＣｎのそれぞれに接続されている。
【００６８】
初期化波形発生回路５１は、初期化期間において走査パルス発生回路５０の基準電位Ａをランプ状に上昇または降下させ、図３に示した初期化波形電圧を発生させる。
【００６９】
維持パルス発生回路５２は、走査パルス発生回路５０の基準電位Ａを電圧Ｖｓまたは接地電位にすることで、図３に示した維持パルスを発生させる。
【００７０】
走査パルス発生回路５０は、書込み期間において基準電位Ａを負の電圧Ｖａに接続するためのスイッチ７９と、電圧Ｖｃを与えるための電源ＶＣと、ｎ本の走査電極ＳＣ１〜走査電極ＳＣｎのそれぞれに走査パルス電圧Ｖａを印加するためのスイッチング素子ＱＨ１〜スイッチング素子ＱＨｎおよびスイッチング素子ＱＬ１〜スイッチング素子ＱＬｎを備えている。スイッチング素子ＱＨ１〜スイッチング素子ＱＨｎ、スイッチング素子ＱＬ１〜スイッチング素子ＱＬｎは複数の出力毎にまとめられＩＣ化されている。このＩＣが走査ＩＣである。そして、スイッチング素子ＱＨｉをオフ、スイッチング素子ＱＬｉをオンにすることにより、スイッチング素子ＱＬｉを経由して走査電極ＳＣｉに負の走査パルス電圧Ｖａを印加する。
【００７１】
なお、初期化波形発生回路５１または維持パルス発生回路５２を動作させているときは、スイッチング素子ＱＨ１〜スイッチング素子ＱＨｎをオフ、スイッチング素子ＱＬ１〜スイッチング素子ＱＬｎをオンにすることにより、スイッチング素子ＱＬ１〜スイッチング素子ＱＬｎを経由して各走査電極ＳＣ１〜走査電極ＳＣｎに初期化波形電圧または維持パルス電圧Ｖｓを印加する。
【００７２】
なお、ここでは、９０本の出力分のスイッチング素子を１つのモノシリックＩＣとして集積し、パネル１０は１０８０本の走査電極２２を備えているものとして、以下の説明を行う。そして、１２個の走査ＩＣを用いて走査パルス発生回路５０を構成し、ｎ＝１０８０本の走査電極ＳＣ１〜走査電極ＳＣｎを駆動するものとする。このように多数のスイッチング素子ＱＨ１〜スイッチング素子ＱＨｎ、スイッチング素子ＱＬ１〜スイッチング素子ＱＬｎをＩＣ化することにより部品点数を削減し、実装面積を低減することができる。ただし、ここに挙げた数値は単なる一例であり、本発明は何らこれらの数値に限定されるものではない。
【００７３】
また、本実施の形態では、書込み期間において、タイミング発生回路４５から出力されるＳＩＤ（１）〜ＳＩＤ（１２）を走査ＩＣ（１）〜走査ＩＣ（１２）のそれぞれに入力している。このＳＩＤ（１）〜ＳＩＤ（１２）は、走査ＩＣに書込み動作を開始させるための動作開始信号であり、走査ＩＣ（１）〜走査ＩＣ（１２）は、ＳＩＤ（１）〜ＳＩＤ（１２）にもとづき書込み動作の順序が切換えられる。
【００７４】
例えば、走査電極ＳＣ１８１〜走査電極ＳＣ２７０に接続された走査ＩＣ（３）に書込み動作させた後に、走査電極ＳＣ９１〜走査電極ＳＣ１８０に接続された走査ＩＣ（２）に書込み動作させる場合は、次のような動作となる。
【００７５】
タイミング発生回路４５は、ＳＩＤ（３）をＬｏ（例えば、０（Ｖ））からＨｉ（例えば、５（Ｖ））に変化させ、走査ＩＣ（３）に書込み動作の開始を指示する。走査ＩＣ（３）は、ＳＩＤ（３）の電圧変化を検知し、これにより書込み動作を開始する。まず、スイッチング素子ＱＨ１８１をオフ、スイッチング素子ＱＬ１８１をオンにし、スイッチング素子ＱＬ１８１を経由して走査電極ＳＣ１８１に走査パルス電圧Ｖａを印加する。走査電極ＳＣ１８１での書込みが終了した後は、スイッチング素子ＱＨ１８１をオン、スイッチング素子ＱＬ１８１をオフにし、引き続き、スイッチング素子ＱＨ１８２をオフ、スイッチング素子ＱＬ１８２をオンにし、スイッチング素子ＱＬ１８２を経由して走査電極ＳＣ１８２に走査パルス電圧Ｖａを印加する。この一連の書込み動作を順次行い、走査電極ＳＣ１８１〜走査電極ＳＣ２７０に走査パルス電圧Ｖａを順次印加して、走査ＩＣ（３）は書込み動作を終了する。
【００７６】
走査ＩＣ（３）の書込み動作が終了した後、タイミング発生回路４５は、ＳＩＤ（２）をＬｏ（例えば、０（Ｖ））からＨｉ（例えば、５（Ｖ））に変化させ、走査ＩＣ（２）に書込み動作の開始を指示する。走査ＩＣ（２）は、ＳＩＤ（２）の電圧変化を検知し、これにより上述と同様の書込み動作を開始し、走査電極ＳＣ９１〜走査電極ＳＣ１８０に走査パルス電圧Ｖａを順次印加する。
【００７７】
本実施の形態では、このように、動作開始信号であるＳＩＤを用いて走査ＩＣの書込み動作の順序を制御することができる。
【００７８】
そして、本実施の形態では、上述したように、部分点灯率検出回路４７において算出した補正後点灯率に応じて走査ＩＣの書込み動作の順序を決定し、補正後点灯率が高い領域を駆動する走査ＩＣから先に書込み動作させる。これらの動作の一例を図面を用いて説明する。
【００７９】
図６は、本発明の実施の形態１における部分点灯率を検出する領域と走査ＩＣとの接続の一例を示す概略図である。図６は、パネル１０と走査ＩＣとの接続の様子を簡略的に表しており、パネル１０内に示す破線で囲まれた各領域は、それぞれ部分点灯率を検出する領域を表す。また、表示電極対２４は、図２と同様に、図面における左右方向に延長して配列されているものとする。
【００８０】
上述したように、部分点灯率検出回路４７は、１つの走査ＩＣに接続された複数の走査電極２２で構成される領域を１つの領域として部分点灯率を検出する。例えば、１つの走査ＩＣに接続される走査電極２２の数が９０本であり、走査電極駆動回路４３が備える走査ＩＣが１２個（走査ＩＣ（１）〜走査ＩＣ（１２））であれば、図６に示すように、部分点灯率検出回路４７は、走査ＩＣ（１）〜走査ＩＣ（１２）のそれぞれに接続された９０本の走査電極２２を１つの領域とし、パネル１０の表示領域を１２分割して各領域の部分点灯率を検出する。そして、点灯率比較回路４８は、部分点灯率検出回路４７で算出した補正後点灯率の値を互いに比較し、値の大きい方から順に、各領域に対して順位付けを行う。そして、タイミング発生回路４５はその順位付けにもとづきタイミング信号を発生し、走査電極駆動回路４３は、そのタイミング信号により、補正後点灯率が高い領域に接続された走査ＩＣから先に書込み動作させる。
【００８１】
図７は、本発明の実施の形態１における走査ＩＣ（１）〜走査ＩＣ（１２）の書込み動作の順序の一例を示す概略図である。なお、ここでは、説明を分かりやすくするために、まず、全ての領域で補正値を「０％」とし、部分点灯率が高い領域を駆動する走査ＩＣから先に動作させる例を説明する。なお、図７において、部分点灯率を検出する領域は図６に示した領域と同様であり、斜線で示した部分は維持放電を発生させない非点灯セルの分布を表し、斜線のない白抜きの部分は放電を発生させる点灯セルの分布を表すものとする。
【００８２】
例えば、あるサブフィールドにおいて、点灯セルが、図７に示したように分布している場合、最も部分点灯率が高い領域は走査ＩＣ（１２）が接続された領域（以下、走査ＩＣ（ｎ）に接続された領域を「領域（ｎ）」と表す）となり、次に部分点灯率が高い領域は走査ＩＣ（１０）が接続された領域（１０）となり、その次に部分点灯率が高い領域は走査ＩＣ（７）が接続された領域（７）となる。このとき、従来の書込み動作であれば、走査ＩＣ（１）から走査ＩＣ（２）、走査ＩＣ（３）へと順次書込み動作が切換えられ、最も部分点灯率が高い領域に接続された走査ＩＣ（１２）は最後に書込み動作が開始される。しかし、本実施の形態では、部分点灯率の高い領域の走査ＩＣから先に書込み動作させるので、図７に示すように、まず最初に走査ＩＣ（１２）に書込み動作させ、次に走査ＩＣ（１０）に書込み動作させ、その次に走査ＩＣ（７）に書込み動作させる。なお、本実施の形態では、部分点灯率が同じであれば、配置的に見て、より上部の走査電極２２に接続された走査ＩＣから先に書込み動作させるものとする。そのため、走査ＩＣ（７）以降の書込み動作の順序は、走査ＩＣ（１）、走査ＩＣ（２）、走査ＩＣ（３）、走査ＩＣ（４）、走査ＩＣ（５）、走査ＩＣ（６）、走査ＩＣ（８）、走査ＩＣ（９）、走査ＩＣ（１１）となり、書込み動作は、領域（１２）、領域（１０）、領域（７）、領域（１）、領域（２）、領域（３）、領域（４）、領域（５）、領域（６）、領域（８）、領域（９）、領域（１１）の順番で行われる。
【００８３】
次に、発熱体の配置位置にもとづき部分点灯率に補正値を加算し、補正後点灯率が高い領域を駆動する走査ＩＣから先に書込み動作させる例を説明する。
【００８４】
図８は、本発明の実施の形態１におけるプラズマディスプレイ装置１の各駆動回路を搭載したプリント基板の配置の一例を示す平面図である。なお、図８では、各プリント基板の配置のみを示し、各プリント基板間を電気的に接続する配線類は省略する。
【００８５】
走査電極駆動用プリント基板７１は、走査電極駆動回路４３を搭載し（図示せず）、走査電極駆動回路４３の出力端子はフレキシブル配線板（Ｆｌｅｘｉｂｌｅ  Ｐｒｉｎｔｅｄ  Ｃｕｒｃｕｉｔ、以下、「ＦＰＣ」と記す）７６によりパネル１０の走査電極ＳＣ１〜走査電極ＳＣｎに接続されている。そして、走査電極駆動回路４３から出力される駆動電圧は、ＦＰＣ７６を介して、各走査電極ＳＣ１〜走査電極ＳＣｎに印加される。
【００８６】
維持電極駆動用プリント基板７２は、維持電極駆動回路４４を搭載し（図示せず）、維持電極駆動回路４４の出力端子はＦＰＣ７７によりパネル１０の維持電極ＳＵ１〜維持電極ＳＵｎに接続されている。そして、維持電極駆動回路４４から出力される駆動電圧は、ＦＰＣ７７を介して、各維持電極ＳＵ１〜維持電極ＳＵｎに印加される。
【００８７】
データ電極駆動用プリント基板７３は、データ電極駆動回路４２を搭載し、データ電極駆動回路４２が有するデータ電極駆動ＩＣ４９の出力端子はＦＰＣ７８によりパネル１０のデータ電極Ｄ１〜データ電極Ｄｍに接続されている（図８には、データ電極駆動ＩＣ４９のみを示す）。なお、データ電極駆動ＩＣ４９は、データ電極Ｄ１〜データ電極Ｄｍとの配線距離ができるだけ短くなるようにＦＰＣ７８の近傍に配置することが望ましく、例えば、データ電極駆動用プリント基板７３上に行方向に（図面では横方向に）一列に並べて配置する。そして、データ電極駆動ＩＣ４９から出力される駆動電圧は、ＦＰＣ７８を介して、データ電極Ｄｋに印加される。なお、図８には、ＦＰＣ７８をデータ電極駆動ＩＣ４９よりも多く設置する構成を示しているが、これは単なる一構成例に過ぎず、ＦＰＣ７８はデータ電極駆動ＩＣ４９よりも少なくてもよく、あるいはＦＰＣ７８をデータ電極駆動ＩＣ４９と同数にして設け、互いに１対１で対応させる構成としてもかまわない。
【００８８】
制御用プリント基板７４は、タイミング発生回路４５を搭載し、プラズマディスプレイ装置１の全体的な制御を行う。
【００８９】
電源用プリント基板７５は、電圧Ｖｄ（例えば、７５（Ｖ））を発生させる電圧Ｖｄ発生回路を有する電源回路４６を搭載し、プラズマディスプレイ装置１に備えられた各回路ブロックに電力を供給する。なお、電源回路４６は、プラズマディスプレイ装置１の各回路ブロックに電力を供給するので、各プリント基板からの距離ができるだけ均等になるようにすることが望ましい。そこで、本実施の形態では、電源用プリント基板７５をパネル１０の中央付近に配置するものとする。
【００９０】
なお、本実施の形態では、上述したようにパネル１０の温度以上に温度が上昇し、パネル１０を加熱する部材である電源回路４６およびデータ電極駆動ＩＣ４９を発熱体と見なして補正値を発生する。
【００９１】
図９は、本発明の実施の形態１における補正後点灯率に応じた走査ＩＣ（１）〜走査ＩＣ（１２）の書込み動作の順序の一例を示す概略図である。なお、図９では、図７と同様に、非点灯セルが分布する領域を斜線で示し、点灯セルが分布する領域を斜線のない白抜きで示す。また、図９には、各領域を分かりやすく示すために、領域間の境界を破線で示す。また、パネル１０の背面に配置された電源回路４６およびデータ電極駆動ＩＣ４９の配置位置を実線で示す。
【００９２】
なお、この表示画像において、各領域の部分点灯率は、走査ＩＣ（１）に接続された領域（１）が１００％であり、以下、領域（２）が９２％、領域（３）が８４％、領域（４）が７５％、領域（５）が６７％、領域（６）が５８％、領域（７）が５０％、領域（８）が４２％、領域（９）が３３％、領域（１０）が２５％、領域（１１）が１７％、領域（１２）が８％であるものとする。したがって、この表示画像では、例えば全ての領域の補正値を「０％」にして書込みを行うと、各領域の走査の順番は、領域（１）、領域（２）、領域（３）、領域（４）、領域（５）、領域（６）、領域（７）、領域（８）、領域（９）、領域（１０）、領域（１１）、領域（１２）の順になる。
【００９３】
一方、図９に示すように、電源回路４６は領域（５）および領域（６）に対応する位置に配置されており、データ電極駆動ＩＣ４９は領域（１２）に対応する位置に配置されている。そこで、領域（５）および領域（６）における補正値を、例えば「１０％」とし、領域（１２）における補正値を、例えば「３０％」とし、残りの領域の補正値を「０％」とすると、領域（５）および領域（６）の補正後点灯率は、領域（５）が７７％、領域（６）が６８％となり、領域（１２）の補正後点灯率は３８％となる。したがって、領域（５）の補正後点灯率は、領域（４）の７５％よりも大きくなり、領域（１２）の補正後点灯率は、領域（９）の３３％よりも大きくなる。
【００９４】
したがって、補正後点灯率にもとづき書込みを行うと、各領域の走査の順番は、領域（１）、領域（２）、領域（３）、領域（５）、領域（４）、領域（６）、領域（７）、領域（８）、領域（１２）、領域（９）、領域（１０）、領域（１１）の順となり、領域（５）を領域（４）よりも先に走査し、領域（１２）を領域（９）よりも先に走査することができる。
【００９５】
このように、本実施の形態では、発熱体によって加熱される領域においては、加熱量に応じた補正値を部分点灯率に加算する。そして、補正後点灯率が高い領域に接続された走査ＩＣから先に書込み動作させることで、部分点灯率が高い領域または発熱体による加熱量の大きい領域から先に書込みを行い、安定した書込み放電を実現している。これは、次のような理由による。
【００９６】
図１０は、本発明の実施の形態１における走査ＩＣの書込み動作の順序と安定した書込み放電を発生させるために必要な走査パルス電圧（振幅）との関係を示す特性図である。図１０において、縦軸は安定した書込み放電を発生させるために必要な走査パルス電圧（振幅）を表し、横軸は走査ＩＣの書込み動作の順序を表す。なお、この実験は、１画面を１６の領域に分け、走査パルス発生回路５０に１６個の走査ＩＣを備えて走査電極ＳＣ１〜走査電極ＳＣｎを駆動する構成にして行った。そして、走査ＩＣの書込み動作の順序によって、安定した書込み放電を発生させるために必要な走査パルス電圧（振幅）がどのように変化するかを測定した。
【００９７】
図１０に示すように、走査ＩＣの書込み動作の順序に応じて安定した書込み放電を発生させるために必要な走査パルス電圧（振幅）も変化する。そして、書込み動作の順序が遅い走査ＩＣほど安定した書込み放電を発生させるために必要な走査パルス電圧（振幅）は大きくなる。例えば、最初に書込み動作させる走査ＩＣでは、安定した書込み放電を発生させるために必要な走査パルス電圧（振幅）は約８０（Ｖ）であるが、最後（ここでは、１６番目）に書込み動作させる走査ＩＣでは、必要な走査パルス電圧（振幅）は約１５０（Ｖ）となり、約７０（Ｖ）も大きくなった。
【００９８】
これは、初期化期間に形成された壁電荷が、時間の経過とともに徐々に減少するためと考えられる。また、書込みパルス電圧Ｖｄは、書込み期間中（表示画像に応じて）各データ電極３２に印加されるため、走査が行われていない放電セルにも書込みパルス電圧Ｖｄは印加される。このような電圧変化によっても壁電荷は減少するため、書込み期間の終盤に書込みが行われる放電セルでは、さらに壁電荷が減少すると考えられる。
【００９９】
図１１は、本発明の実施の形態１における部分点灯率と安定した書込み放電を発生させるために必要な走査パルス電圧（振幅）との関係を示す特性図である。図１１において、縦軸は安定した書込み放電を発生させるために必要な走査パルス電圧（振幅）を表し、横軸は部分点灯率を表す。なお、この実験では、図１０における測定と同様に１画面を１６の領域に分け、そのうちの１つの領域において、点灯セルの割合を変えながら、安定した書込み放電を発生させるために必要な走査パルス電圧（振幅）がどのように変化するかを測定した。
【０１００】
図１１に示すように、点灯セルの割合に応じて安定した書込み放電を発生させるために必要な走査パルス電圧（振幅）も変化する。そして、点灯率が高くなるほど安定した書込み放電を発生させるために必要な走査パルス電圧（振幅）は大きくなる。例えば、点灯率１０％では、安定した書込み放電を発生させるために必要な走査パルス電圧（振幅）は約１１８（Ｖ）であるが、点灯率１００％では、必要な走査パルス電圧（振幅）は約１４９（Ｖ）となり、約３１（Ｖ）も大きくなる。
【０１０１】
これは、点灯セルが増えて点灯率が上がると放電電流が増加し、走査パルス電圧（振幅）の電圧降下が大きくなるためと考えられる。また、パネル１０の大画面化により、走査電極２２の長さが長くなる等して駆動負荷が増大すると、電圧降下はさらに大きくなる。
【０１０２】
そして、温度が高い放電セル、例えば、発熱量の大きい部材により加熱され周囲よりも温度が高くなった放電セルでは、壁電荷は、そうでない放電セルよりも減少しやすく、安定した書込み放電を発生させるために必要な走査パルス電圧（振幅）はより大きくなりやすいことが実験的に確認された。
【０１０３】
図１２は、本発明の実施の形態１におけるパネルの温度と安定した書込み放電を発生させるために必要な走査パルス電圧（振幅）との関係を示す特性図である。図１２において、縦軸は安定した書込み放電を発生させるために必要な走査パルス電圧（振幅）を表し、横軸はパネル１０の温度を表す。なお、この実験では、パネル１０の温度を変えながら、安定した書込み放電を発生させるために必要な走査パルス電圧（振幅）がどのように変化するかを測定した。
【０１０４】
そして、図１２に示すように、パネル１０の温度が上昇するにつれて安定した書込み放電を発生させるために必要な走査パルス電圧（振幅）も上昇することが確認された。例えば、パネル１０の温度が４０℃のときには、安定した書込み放電を発生させるために必要な走査パルス電圧（振幅）は約９１（Ｖ）であるが、パネル１０の温度が８０℃のときには、必要な走査パルス電圧（振幅）は約１３０（Ｖ）となり、約３９（Ｖ）も大きくなる。
【０１０５】
このように、安定した書込み放電を発生させるために必要な走査パルス電圧（振幅）は、走査ＩＣの書込み動作の順序が遅くなるほど、すなわち初期化動作から書込み動作までの経過時間が長くなるほど大きくなり、また、点灯率が高くなるほど大きくなり、また、放電セルの温度が高くなるほど大きくなる。したがって、走査ＩＣの書込み動作の順序が遅く、かつその走査ＩＣが接続された領域の部分点灯率が高く、かつその走査ＩＣが接続された領域が発熱体によって加熱される場合には、安定した書込み放電を発生させるために必要な走査パルス電圧（振幅）はさらに大きくなる。
【０１０６】
しかしながら、同じように部分点灯率が高い領域であっても、その領域に接続された走査ＩＣの書込み動作の順序を早くすれば、その領域に接続された走査ＩＣの書込み動作の順序が遅いときよりも、安定した書込み放電を発生させるために必要な走査パルス電圧（振幅）を低減することができる。また、発熱体によって加熱される領域であっても、その領域に接続された走査ＩＣの書込み動作の順序を早くすれば、その領域に接続された走査ＩＣの書込み動作の順序が遅いときよりも、安定した書込み放電を発生させるために必要な走査パルス電圧（振幅）を低減することができる。
【０１０７】
そこで、本実施の形態では、領域毎に部分点灯率を検出するとともに、発熱体による加熱がない領域では補正値を「０％」にし、発熱体によって加熱される領域では、その加熱量に応じた大きさの補正値を部分点灯率に加算して補正後点灯率を算出して、補正後点灯率が高い領域に接続された走査ＩＣから先に書込み動作させる構成とする。このように、補正後点灯率が高い領域から先に書込み動作を行うことで、部分点灯率が高い領域もしくは発熱体による加熱量が大きい領域における書込み動作を、そうでない領域における書込み動作よりも、初期化動作から書込み動作までの経過時間を短くして行うことが可能となる。これにより、安定した書込み放電を発生させるために必要な走査パルス電圧（振幅）が増大することを防止して安定した書込み放電を発生させることができる。本発明者が行った実験では、本実施の形態における構成とすることで、表示画像にもよるが、安定した書込み放電を発生させるために必要な走査パルス電圧（振幅）を約２０（Ｖ）低減できることが確認された。
【０１０８】
なお、本実施の形態では、領域（５）および領域（６）の部分点灯率に補正値「１０％」を加算し、領域（１２）の部分点灯率に補正値「３０％」を加算する例を説明したが、これらの補正値は、発熱体によるパネル１０の加熱量に応じた大きさ、すなわち発熱体が発生した熱がパネル１０をどの程度加熱するかによって設定するものとする。このときの設定要因として、例えば、発熱体の発熱量、発熱体の大きさ（パネル１０側から見たときの設置面積）、発熱体からパネル１０への熱伝導の大きさ、等がある。また、発熱体を冷却するための放熱体がプラズマディスプレイ装置１に備えられているとき、具体的には、発熱体の近傍に放熱ファンが設けられたり、あるいは発熱体に放熱フィンや放熱板等が取り付けられたりしているときには、放熱体によって発熱体が冷却される分、補正値を小さくすることが望ましい。そして、補正値の大きさは、パネル１０の特性やプラズマディスプレイ装置１の仕様等を考慮し、実験やシミュレーション等によって確認される最適と思われる数値を設定することが望ましい。
【０１０９】
次に、図５に示した走査ＩＣへの動作開始信号であるＳＩＤ（ここでは、ＳＩＤ（１）〜ＳＩＤ（１２））を発生させる回路の一例を図面を用いて説明する。
【０１１０】
図１３は、本発明の実施の形態１における走査ＩＣ切換え回路６０の一構成例を示す回路ブロック図である。タイミング発生回路４５は、ＳＩＤ（ここでは、ＳＩＤ（１）〜ＳＩＤ（１２））を発生させる走査ＩＣ切換え回路６０を有する。なお、ここには図示していないが、各走査ＩＣ切換え回路６０には各回路の動作タイミングの基準となるクロック信号が入力されている。
【０１１１】
走査ＩＣ切換え回路６０は、図１３に示すように、発生させるＳＩＤの数と同数（ここでは、１２個）のＳＩＤ発生回路６１を備え、各ＳＩＤ発生回路６１には、点灯率比較回路４８における比較結果にもとづき発生させる切換え信号、書込み期間における走査ＩＣ選択期間に発生させる選択信号、走査ＩＣの書込み動作開始時に発生させるスタート信号がそれぞれ入力される。そして、各ＳＩＤ発生回路６１は、入力された各信号にもとづきＳＩＤを出力する。なお、各信号はタイミング発生回路４５において生成されるが、選択信号に関しては、各ＳＩＤ発生回路６１において所定時間ずつ遅延された選択信号を次段のＳＩＤ発生回路６１に用いるものとする。例えば、最初のＳＩＤ発生回路６１に入力する選択信号（１）をそのＳＩＤ発生回路６１において所定時間遅延して選択信号（２）とし、この選択信号（２）を次段のＳＩＤ発生回路６１に入力するものとする。したがって、各ＳＩＤ発生回路６１においては、切換え信号およびスタート信号は同タイミングで入力されるが、選択信号は全て異なるタイミングで入力される。
【０１１２】
図１４は、本発明の実施の形態１におけるＳＩＤ発生回路６１の一構成例を示す回路図である。ＳＩＤ発生回路６１は、フリップフロップ回路（以下、「ＦＦ」と略記する）６２、遅延回路６３、アンドゲート６４を有する。
【０１１３】
ＦＦ６２は、一般に知られたフリップフロップ回路と同様の構成、動作であり、クロック入力端子、データ入力端子、データ出力端子を有する。そして、クロック入力端子に入力される信号（ここでは、切換え信号）の立ち上がり時（ＬｏからＨｉへの変化時）におけるデータ入力端子（ここでは、選択信号を入力）の状態（ＬｏまたはＨｉ）を保持し、この状態を反転したものを、データ出力端子からゲート信号として出力する。
【０１１４】
アンドゲート６４は、ＦＦ６２から出力されるゲート信号を一方の入力端子に、スタート信号を他方の入力端子に入力し、論理積演算をして出力する。すなわち、ゲート信号がＨｉでかつスタート信号がＨｉのときのみＨｉを出力し、それ以外はＬｏを出力する。そして、このアンドゲート６４の出力がＳＩＤとなる。
【０１１５】
遅延回路６３は、一般に知られた遅延回路と同様の構成、動作であり、クロック入力端子、データ入力端子、データ出力端子を有する。そして、データ入力端子に入力される信号（ここでは、選択信号）を、クロック入力端子に入力されるクロック信号の所定の周期分（ここでは、１周期分）だけ遅延させてデータ出力端子から出力する。この出力が次段のＳＩＤ発生回路６１に用いる選択信号となる。
【０１１６】
これらの動作を、タイミングチャートを用いて説明する。図１５は、本発明の実施の形態１における走査ＩＣ切換え回路６０の動作を説明するためのタイミングチャートである。ここでは、走査ＩＣ（３）の次に走査ＩＣ（２）に書込み動作させるときの、走査ＩＣ切換え回路６０の動作を例に挙げて説明を行う。
【０１１７】
なお、本実施の形態では、書込み期間内に設けた走査ＩＣ選択期間において、次に書込み動作させる走査ＩＣを決定するものとする。ただし、最初に書込み動作させる走査ＩＣを決定するための走査ＩＣ選択期間は書込み期間の直前に行うものとする。そして、書込み動作中の走査ＩＣの書込み動作が終了する直前に、次に書込み動作させる走査ＩＣを決定するための走査ＩＣ選択期間を設けるものとする。
【０１１８】
走査ＩＣ選択期間では、まず、選択信号（１）がＳＩＤ（１）を発生させるためのＳＩＤ発生回路６１に入力される。この選択信号（１）は、図１５に示すように、通常はＨｉであり、クロック信号１周期分だけＬｏになる負極性のパルス波形である。そして、選択信号（１）は、ＳＩＤ発生回路６１においてクロック信号１周期分遅延され、選択信号（２）となってＳＩＤ（２）を発生させるためのＳＩＤ発生回路６１に入力される。以降、クロック信号１周期分ずつ遅延された選択信号（３）〜選択信号（１２）が各ＳＩＤ発生回路６１にそれぞれ入力される。
【０１１９】
切換え信号は、図１５に示すように、通常はＬｏであり、クロック信号１周期分だけＨｉになる正極性のパルス波形である。そして、クロック信号１周期分ずつ遅延された選択信号（１）〜選択信号（１２）のうち、次に書込み動作させる走査ＩＣを選択するための選択信号がＬｏになったタイミングで、正極性のパルスを発生させる。これにより、ＦＦ６２では、クロック入力端子に入力される切換え信号の立ち上がり時における選択信号の状態を反転させたものがゲート信号として出力される。なお、切換え信号における正極性のパルスは、点灯率比較回路４８からの比較結果にもとづき、タイミング発生回路４５がその発生タイミングを決定して発生させる。
【０１２０】
例えば、走査ＩＣ（２）を選択する場合には、図１５に示すように、選択信号（２）がＬｏになった時点で切換え信号に正極性のパルスを発生させる。このとき、選択信号（２）を除く選択信号はＨｉなので、ゲート信号（２）のみがＨｉとなりそれ以外のゲート信号はＬｏとなる。なお、ここでは、ゲート信号（３）がこのタイミングでＨｉからＬｏに変化する。
【０１２１】
なお、切換え信号は、クロック信号の立ち下がりに同期して状態が変化するように発生させてもよい。こうすることで、選択信号の状態変化に対してクロック信号半周期分の時間的なずれを設けることができ、ＦＦ６２における動作を確実にすることができる。
【０１２２】
そして、走査ＩＣの書込み動作を開始するタイミングで、スタート信号にクロック信号１周期分だけＨｉになる正極性のパルスを発生させる。スタート信号は各ＳＩＤ発生回路６１に共通に入力されるが、ゲート信号がＨｉとなっているアンドゲート６４のみが正極性のパルスを出力できる。これにより、次に書込み動作させる走査ＩＣを任意に決定することができる。ここでは、ゲート信号（２）がＨｉなので、ＳＩＤ（２）に正極性のパルスが発生し、走査ＩＣ（２）が書込み動作を開始する。
【０１２３】
以上示したような回路構成によりＳＩＤを発生させることができるが、ここに示した回路構成は単なる一例に過ぎず、本発明は何らここに示した回路構成に限定されるものではない。走査ＩＣに書込み動作の開始を指示するＳＩＤを発生できる構成であれば、どのような回路構成であってもかまわない。
【０１２４】
図１６は、本発明の実施の形態１における走査ＩＣ切換え動作の他の一例を説明するためのタイミングチャートである。
【０１２５】
例えば、図１６に示すように、切換え信号に代えて、スタート信号にクロック信号２周期分だけＨｉになる正極性のパルスを発生させる構成としてもよい。すなわち、スタート信号にクロック信号２周期分だけＨｉになる正極性のパルスが発生した場合には、そのパルスをＦＦ６２におけるクロック入力端子への入力に用い、クロック信号１周期分だけＨｉになる正極性のパルスが発生した場合には、本来のスタート信号として用いる構成としてもよい。このような構成であっても、上述と同様の動作を行うことができる。
【０１２６】
以上示したように、本実施の形態によれば、パネル１０の表示領域を複数の領域に分け、それぞれの領域における部分点灯率を部分点灯率検出回路４７で検出するとともに、検出した部分点灯率に、発熱体の配置位置および発熱体による加熱量に応じた補正値を加算して補正後点灯率を算出し、補正後点灯率が高い領域から先に走査を行う構成とする。これにより、部分点灯率が高い領域および発熱体による加熱量が大きい領域において、安定した書込み放電を発生させるために必要な走査パルス電圧（振幅）が増大することを防止して、安定した書込み放電を発生させることが可能となる。
【０１２７】
（実施の形態２）
実施の形態１では、電源回路４６が配置された位置に対応する領域では部分点灯率に補正値「１０％」を加算し、データ電極駆動ＩＣ４９が配置された位置に対応する領域では部分点灯率に補正値「３０％」を加算する例を説明したが、これらの補正値を、表示画像に応じて変更する構成とすることもできる。
【０１２８】
例えば、データ電極駆動ＩＣ４９の消費電力は、パネル１０に表示する画像の図柄に応じて変化する。したがって、データ電極駆動ＩＣ４９における発熱量は表示画像に応じて変動する。
【０１２９】
そこで、本実施の形態では、表示画像にもとづきデータ電極駆動ＩＣ４９の消費電力を算出し、その算出結果に応じて補正値を変更する構成例を説明する。
【０１３０】
図１７は、本発明の実施の形態２におけるプラズマディスプレイ装置２の回路ブロック図である。プラズマディスプレイ装置２は、パネル１０、画像信号処理回路４１、データ電極駆動回路４２、走査電極駆動回路４３、維持電極駆動回路４４、タイミング発生回路４５、部分点灯率検出回路４７、点灯率比較回路４８、データ電力算出回路６５、補正値発生回路６６および各回路ブロックに必要な電源を供給する電源回路４６を備えている。なお、データ電力算出回路６５および補正値発生回路６６を除く各回路ブロックは実施の形態１において図４に示した同名の回路ブロックと同様の構成および同様の動作であるものとする。
【０１３１】
データ電力算出回路６５は、画像信号処理回路４１において画像信号から生成されるサブフィールド毎の画像データにもとづき、データ電極駆動ＩＣ４９における消費電力を算出する。データ電極駆動ＩＣ４９における消費電力の算出は、例えば次のようにして行うことができる。
【０１３２】
データ電極駆動ＩＣ４９における消費電力は、書込み放電を発生させる放電セル（点灯セル）と書込み放電を発生させない放電セル（点灯セル）とが隣り合う数が多いほど増え、点灯セル同士または非点灯セル同士が隣り合う数が多いほど少なくなる。これは、データ電極駆動ＩＣ４９が、内部に有する複数のスイッチング素子を切換えて書込みパルスを発生させており、点灯セルと非点灯セルとが隣り合う数が多いほどスイッチング素子の切換え回数が増加し、逆に点灯セル同士または非点灯セル同士が隣り合う数が多いほど、スイッチング素子の切換え回数が減少するためである。
【０１３３】
データ電力算出回路６５では、これを利用して、データ電極駆動ＩＣ４９における消費電力を算出するものとする。例えば、点灯セルを「１」、非点灯セルを「０」とし、隣接する放電セル間で排他的論理和演算を行ってその結果を累積加算する。これにより、点灯セルと非点灯セルとが隣接する箇所の数を計数することができる。このようにして得られる累積加算値とデータ電極駆動ＩＣ４９における消費電力との関係をあらかじめ調べておき、そのデータをデータ電力算出回路６５に持たせておけば、上述の累積加算値を算出することで、消費電力を算出することができる。しかし、本発明は、消費電力の算出が何らこの方法に限定されるものではなく、これ以外の方法で消費電力を算出する構成であってもかまわない。
【０１３４】
なお、本実施の形態において、データ電極駆動回路４２は、１２個のデータ電極駆動ＩＣ４９を有し、全てのデータ電極駆動ＩＣ４９はその配置位置が１つの領域に含まれる。したがって、データ電力算出回路６５は、１２個のデータ電極駆動ＩＣ４９の消費電力の総和を算出して後段の補正値発生回路６６に出力するものとする。
【０１３５】
そして、補正値発生回路６６は、データ電極駆動ＩＣ４９が配置された位置に対応する領域では、データ電力算出回路６５において算出された消費電力の大きさに応じた補正値を部分点灯率に加算するものとする。このときの補正値の設定範囲は、例えば「４０％」〜「１０％」とすることができるが、これらの値は、データ電極駆動ＩＣ４９の定格値やパネル１０の特性、プラズマディスプレイ装置２の仕様等に応じて設定することが望ましい。
【０１３６】
なお、データ電極駆動ＩＣ４９における消費電力は表示画像に応じて逐次変化するのに対し、データ電極駆動ＩＣ４９の温度はデータ電極駆動ＩＣ４９の熱容量に応じた時定数で変化する。そこで、補正値発生回路６６では、データ電極駆動ＩＣ４９が配置された領域における補正値が、データ電極駆動ＩＣ４９における温度変化に追従して緩やかに変化するように、補正値をローパスフィルターや巡回フィルター等に通す構成とすることが望ましい。
【０１３７】
以上示したように、本実施の形態によれば、表示画像によって変化するデータ電極駆動ＩＣ４９等による加熱量に応じて、補正値を適切に変更することが可能となる。
【０１３８】
なお、本発明の実施の形態では、１つの走査ＩＣに接続された走査電極２２にもとづき各領域を設定する構成を説明したが、本発明は何らこの構成に限定されるものではなく、その他の区分けで各領域を設定する構成であってもよい。例えば、走査電極２２の走査順序を１本ずつ任意に変更できるような構成であれば、１本の走査電極２２を１つの領域として走査電極２２毎に部分点灯率を検出し、その検出結果に応じて、走査電極２２毎に走査順序を変更する構成であってもよい。
【０１３９】
なお、本発明の実施の形態では、それぞれの領域における部分点灯率を検出し、検出結果に補正値を加算して補正後点灯率を算出する構成を説明したが、本発明は、何らこの構成に限定されるものではない。例えば、１対の表示電極対２４における点灯率をライン点灯率として各表示電極対２４毎に検出するとともに、各領域毎に最も高いライン点灯率をピーク点灯率として検出し、ピーク点灯率に補正値を加算して補正後点灯率とする構成としてもよい。
【０１４０】
なお、本発明における実施の形態は、走査電極２２と走査電極２２とが隣り合い、維持電極２３と維持電極２３とが隣り合う電極構造、すなわち前面板２１に設けられる電極の配列が、「・・・走査電極、走査電極、維持電極、維持電極、走査電極、走査電極、・・・」となる電極構造のパネルにおいても、有効である。
【０１４１】
なお、本発明の実施の形態では、消去ランプ電圧Ｌ３を走査電極ＳＣ１〜走査電極ＳＣｎに印加する構成を説明したが、消去ランプ電圧Ｌ３を維持電極ＳＵ１〜維持電極ＳＵｎに印加する構成とすることもできる。あるいは、消去ランプ電圧Ｌ３ではなく、いわゆる細幅消去パルスにより消去放電を発生させる構成としてもよい。
【０１４２】
なお、走査ＩＣ切換え回路６０の動作を説明する際に示した各信号の極性は、単なる一例を示したものに過ぎず、説明で示した極性とは逆の極性であっても何らかまわない。
【０１４３】
なお、本発明の実施の形態に示したタイミングチャートは単なる一動作例を示したものに過ぎず、これ以外の構成であってもかまわない。
【０１４４】
なお、本発明の実施の形態において示した具体的な数値は、５０インチ、表示電極対２４の数が１０８０対のパネル１０の特性にもとづき設定したものであって、単に実施の形態における一例を示したものに過ぎない。本発明はこれらの数値に何ら限定されるものではなく、各数値はパネル１０の特性やプラズマディスプレイ装置１、２の仕様等にあわせて最適に設定することが望ましい。また、サブフィールド数や各サブフィールドの輝度重み等も本発明の実施の形態に示した値に限定されるものではなく、また、画像信号等にもとづいてサブフィールド構成を切換える構成であってもよい。
【産業上の利用可能性】
【０１４５】
本発明は、大画面化、高精細化されたパネルにおいても、安定した書込み放電を発生させるために必要な走査パルス電圧（振幅）が増大することを防止して安定した書込み放電を発生させ、高い画像表示品質を実現することができるので、プラズマディスプレイ装置およびパネルの駆動方法として有用である。
【図面の簡単な説明】
【０１４６】
【図１】本発明の実施の形態１におけるパネルの構造を示す分解斜視図
【図２】同パネルの電極配列図
【図３】同パネルの各電極に印加する駆動電圧波形図
【図４】本発明の実施の形態１におけるプラズマディスプレイ装置の回路ブロック図
【図５】同プラズマディスプレイ装置の走査電極駆動回路の構成を示す回路図
【図６】本発明の実施の形態１における部分点灯率を検出する領域と走査ＩＣとの接続の一例を示す概略図
【図７】本発明の実施の形態１における走査ＩＣの書込み動作の順序の一例を示す概略図
【図８】本発明の実施の形態１におけるプラズマディスプレイ装置の各駆動回路を搭載したプリント基板の配置の一例を示す平面図
【図９】本発明の実施の形態１における補正後点灯率に応じた走査ＩＣの書込み動作の順序の一例を示す概略図
【図１０】本発明の実施の形態１における走査ＩＣの書込み動作の順序と安定した書込み放電を発生させるために必要な走査パルス電圧（振幅）との関係を示す特性図
【図１１】本発明の実施の形態１における部分点灯率と安定した書込み放電を発生させるために必要な走査パルス電圧（振幅）との関係を示す特性図
【図１２】本発明の実施の形態１におけるパネルの温度と安定した書込み放電を発生させるために必要な走査パルス電圧（振幅）との関係を示す特性図
【図１３】本発明の実施の形態１における走査ＩＣ切換え回路の一構成例を示す回路ブロック図
【図１４】本発明の実施の形態１におけるＳＩＤ発生回路の一構成例を示す回路図
【図１５】本発明の実施の形態１における走査ＩＣ切換え回路の動作を説明するためのタイミングチャート
【図１６】本発明の実施の形態１における走査ＩＣ切換え動作の他の一例を説明するためのタイミングチャート
【図１７】本発明の実施の形態２におけるプラズマディスプレイ装置の回路ブロック図
【符号の説明】
【０１４７】
１，２    プラズマディスプレイ装置
１０    パネル
２１    （ガラス製の）前面板
２２    走査電極
２３    維持電極
２４    表示電極対
２５，３３    誘電体層
２６    保護層
３１    背面板
３２    データ電極
３４    隔壁
３５    蛍光体層
４１    画像信号処理回路
４２    データ電極駆動回路
４３    走査電極駆動回路
４４    維持電極駆動回路
４５    タイミング発生回路
４６    電源回路
４７    部分点灯率検出回路
４８    点灯率比較回路
４９    データ電極駆動ＩＣ
５０    走査パルス発生回路
５１    初期化波形発生回路
５２    維持パルス発生回路
５３，６６    補正値発生回路
５４    書込みパルス発生回路
６０    走査ＩＣ切換え回路
６１    ＳＩＤ発生回路
６２    ＦＦ（フリップフロップ回路）
６３    遅延回路
６４    アンドゲート
６５    データ電力算出回路
７０    家庭用電源取込み口
７１    走査電極駆動用プリント基板
７２    維持電極駆動用プリント基板
７３    データ電極駆動用プリント基板
７４    制御用プリント基板
７５    電源用プリント基板
７６，７７，７８    ＦＰＣ（フレキシブル配線板）
７９    スイッチ
ＱＨ１〜ＱＨｎ，ＱＬ１〜ＱＬｎ    スイッチング素子
【図１】
2010091837.tif 000003
【図２】
2010091837.tif 000004
【図３】
2010091837.tif 000005
【図４】
2010091837.tif 000006
【図５】
2010091837.tif 000007
【図６】
2010091837.tif 000008
【図７】
2010091837.tif 000009
【図８】
2010091837.tif 000010
【図９】
2010091837.tif 000011
【図１０】
2010091837.tif 000012
【図１１】
2010091837.tif 000013
【図１２】
2010091837.tif 000014
【図１３】
2010091837.tif 000015
【図１４】
2010091837.tif 000016
【図１５】
2010091837.tif 000017
【図１６】
2010091837.tif 000018
【図１７】
2010091837.tif 000019